Podtech/llm-jp-corpus-v4-ja_patent huggingface dataset:
(57)【要約】【課題】本発明はホテル等の課金式のテレビジョンシステムにおいて課金の煩わしさをクレジットカード又はキャッシュカードに対応することにより解決する手段を提供する。【解決手段】課金機能装置１７はクレジットカード又はキャッシュカードを挿入するカードリーダ１６と暗証番号等を入力する表示操作部１４と、それらをオンライン回線１２を通じて判別しテレビジョンケーブル１１からの信号を制御する制御部１３を備えている。【選択図】  図１
2004302854.tif 000002
【特許請求の範囲】
【請求項１】
クレジットカード又はキャッシュカードの挿入および暗証番号の入力により前記クレジットカード又はキャッシュカードが有効な場合に課金放送信号のテレビジョン受像機による受信を可能とし、終了ボタンを押すか、もしくは前記クレジットカード又はキャッシュカードを抜き取ることで課金状態を解除し、それまでに視聴した放送視聴料金をオンラインシステムにて請求する装置を備えたことを特徴とする課金機能付きテレビジョン装置。
【請求項２】
料金精算処理のオンラインシステムを、インターネット対応テレビジョンケーブルにてデータをインターネットを通じてオンラインシステム端末に送ることで実現することを特徴とする請求項１記載の課金機能付きテレビジョン装置。
【発明の詳細な説明】
【０００１】
【発明の属する技術分野】
本発明はホテル、旅館等においてテレビジョン受像機による視聴を有料化する課金機能付きテレビジョン装置に関するものである。
【０００２】
【従来の技術】
従来の技術はプリペイドカード等を用いて課金機能を実現していた。（例えば特許文献１参照。）。
【０００３】
【特許文献１】
特開平４−１４５５９７号公報（第６頁、第２図）
【０００４】
【発明が解決しようとする課題】
しかしながら上記のような構成では、プリペイドカードを購入する必要があり手数が掛かるということや、すべて消費しなかった場合、残金が無駄になってしまうと言った問題点があった。
【０００５】
【課題を解決するための手段】
上記問題点を解決するための本発明の課金機能付きテレビジョン装置は、クレジットカード又はキャッシュカードの挿入および暗証番号の入力により前記クレジットカード又はキャッシュカードが有効な場合に課金放送信号のテレビジョン受像機による受信を可能とし、終了ボタンを押すか、もしくは前記クレジットカード又はキャッシュカードを抜き取ることで課金状態を解除し、それまでに視聴した放送視聴料金をオンラインシステムにて請求する装置を備えたものである。
【０００６】
【発明の実施の形態】
本発明の請求項１に記載の発明はクレジットカード又はキャッシュカードの挿入および暗証番号の入力により前記クレジットカード又はキャッシュカードが有効な場合に課金放送信号のテレビジョン受像機による受信を可能とし、終了ボタンを押すか、もしくは前記クレジットカード又はキャッシュカードを抜き取ることで課金状態を解除し、それまでに視聴した放送視聴料金をオンラインシステムにて請求する装置を備えたことを特徴とする課金機能付きテレビジョン装置であり、従来の問題であったプリペイドカード購入の煩わしさの削減と経済性の優位性を有する。
【０００７】
本発明の請求項２に記載の発明は上記テレビジョン装置において、料金精算処理のオンラインシステムを、テレビジョンケーブルにてデータをオンラインシステム端末に送ることで実現することを特徴とする課金機能付きテレビジョン装置であり、従来の問題であったプリペイドカード購入の煩わしさの削減と経済性の優位性を有する。
【０００８】
（実施の形態１）
図１は本発明の実施の形態１における課金機能付きテレビジョン装置のブロック構成図を示すものである。図１において、テレビジョンケーブル１１より送られてくる映像信号は課金機能装置１７の制御部１３に入力される。視聴者がカードリーダ１６にクレジットカードやキャッシュカードを挿入し、表示操作部１４にて暗証番号を入力すると、制御部１３はオンライン回線１２を通じて、挿入されたカードが有効かどうかを判別する。判別した結果、カードが有効だと判別されれば制御部１３はテレビジョン受像機１５の電源を投入し、テレビジョンケーブル１１の映像信号をテレビジョン受像機１５に送信する。
【０００９】
次に視聴者が表示操作部１４の操作により停止の操作をするか、カードリーダ１６よりカードを抜き取ったとき、制御部１３はそれまでの視聴時間より料金を算出し、課金データはオンライン回線１２を通じてクレジット会社に送信される。
【００１０】
以上のように本実施の形態によれば、クレジットカード又はキャッシュカードに対応した課金装置を設けることにより、視聴者は簡単にホテルなどでテレビを視聴することができる。
【００１１】
（実施の形態２）
図２は本発明の実施の形態２における課金機能付きテレビジョン装置のブロック構成図を示すものである。図２において、インターネット対応テレビジョンケーブル２１より送られてくる映像信号は課金機能装置２６の制御部２２に入力される。視聴者がカードリーダ２５にクレジットカードやキャッシュカードを挿入し、表示操作部２３にて暗証番号を入力すると、制御部２２はインターネット対応テレビジョンケーブル２１を通じて、インターネットにより挿入されたカードが有効かどうかを判別する。判別した結果、カードが有効だと判別されれば制御部２２はテレビジョン受像機２４の電源を投入し、
インターネット対応テレビジョンケーブル２１の映像信号をテレビジョン受像機２４に送信する。
【００１２】
次に視聴者が表示操作部２３の操作により停止の操作をするか、カードリーダ２５よりカードを抜き取ったとき、制御部２２はそれまでの視聴時間より料金を算出し、課金データはインターネット対応テレビジョンケーブル２１を通じてクレジット会社に送信される。
【００１３】
以上のように本実施の形態によれば、クレジットカード又はキャッシュカードに対応した課金装置を設けることにより、視聴者は簡単にホテルなどでテレビを視聴することができる。
【００１４】
【発明の効果】
以上のように本発明はクレジットカード又はキャッシュカードに対応した課金装置を設けることにより、視聴者は簡単にホテルなどでテレビを視聴することができる。
【図面の簡単な説明】
【図１】本発明の実施の形態１における課金機能付きテレビジョン装置のブロック構成図
【図２】本発明の実施の形態２における課金機能付きテレビジョン装置のブロック構成図
【符号の説明】
１１  テレビジョンケーブル
１２  オンライン回線
１３  制御部
１４  表示操作部
１５  テレビジョン受像機
１６  カードリーダ
１７  課金機能装置
２１  インターネット対応テレビジョンケーブル
２２  制御部
２３  表示操作部
２４  テレビジョン受像機
２５  カードリーダ
２６  課金機能装置
【図１】
2004302854.tif 000003
【図２】
2004302854.tif 000004
(57)【要約】【課題】前方から来る音を、耳元に受音器具を装着して、耳に入る音量を増量する。【解決手段】図１の略図の様に受音器具を耳部に装着して、前方から来る音量を増量する。【選択図】      図１
2004302496.tif 000002
【特許請求の範囲】
【請求項１】
前方から来る音を、耳元で受け止めて耳に入る音量を、増量するヘッドバンドに装着した受音器具である。
【発明の詳細な説明】
【技術分野】
【０００１】本発明は、前方から来る音を、受け止めて耳に入る音量を増量する。ヘッドバンドに装着した受音器具であり、耳に入る音量を増量する器具である。
【背景技術】
【０００２】現在までに存在しない発明である。
【発明の開示】
【発明が解決しようとする課題】
【０００３】聴力は一般に加齢と共に弱くなり不便な時がある。よって前方から来る音の内、耳元を通過する音の一部を受け止めて、耳に入る音量を増量させる必要がある。
【課題が解決するための手段】
【０００４】図１の略図の様に受音器具を耳部に装着して、前方から来る音を聞きやすくする。
【発明の効果】
【０００５】人間は通常、加齢と共に聴力が弱くなってくるが、耳の穴に装着する補聴器を使用するほど悪くない人が、テレビ視聴、ラジオ聴取、音楽会、観劇、会話などに本発明のジャンボイヤーを使用すると耳に入る音量が増量される。
【０００６】此の発明品を使用すれば、聴力が少し弱くなってきても正常な人たちと、ほぼ同じ音量でも耳に入る音量は増量されるという利点がある。
【発明を実施するための最良の形態】
【０００７】此の発明品の材質は合成樹脂を使用し、受音器具の部分は少し柔らかな合成樹脂を使用して危害防止に配慮する。ヘッドバンドは両耳の近くで顔の巾より狭めてバネの力を作り、それによって頭部及び耳部からずれない様に製作する。又ヘッドバンドと受音器具部分の接続は、図３のように受音器具側に小さな矩形の穴をあけて、横に、がたつき防止の突起板を作る。ヘッドバンド側の先端はフック状に製作し両器具の着脱を容易に出来る様にする。その後、突起板とフックの先端はクリップで挟み止める事も出来る。
本発明は安価で軽量に作れ、分解して携帯も可能で、使用方法も簡単である。
【実施例】
【０００８】図１のジャンボイヤーを装着した略図のとおりである。
【図面の簡単な説明】
【０００９】
【図１】本発明を装着した略図と、右耳用の受音器の斜傾図。
【図２】本発明の右耳用の受音器の前面図。
【図３】本発明の右耳用の上から見た平面図と、向かって左から見た側面図。
【符号の説明】
【００１０】１  受音器
２  ヘッドバンドのフック
３  ヘッドバンドのフックを下から上に入れる矩形の穴
Ａ  ジャンボイヤーを装着した略図
【図１】
2004302496.tif 000003
【図２】
2004302496.tif 000004
【図３】
2004302496.tif 000005
(57)【要約】【目的】上記硫酸ニッケル六水和物のようにフレコン内で塊状化したものをフレコンに保持したままで粉砕することを可能とする装置を提供する。【構成】解砕装置の構成として、粉砕すべき塊状物が収容されたフレコンを支持する受け台と、水平方向に駆動する上部シリンダー及び下部シリンダーと、該上部シリンダー及び下部シリンダーにそれぞれ追随して可動するガイドロッドと、該ガイドロッドの先端にピン構造にて接合された平板と、前記フレコンを固定するための受け板とを設ける。【選択図】　　　図１
2004089927.tif 000002
【特許請求の範囲】
【請求項１】
粉砕すべき塊状物が収容されたフレコンを支持する受け台と、水平方向に駆動する上部シリンダー及び下部シリンダーと、該上部シリンダー及び下部シリンダーにそれぞれ追随して可動するガイドロッドと、該ガイドロッドの先端にピン構造にて接合された平板と、前記フレコンを固定するための受け板とを有することを特徴とする解砕装置。
【請求項２】
請求項１記載の解砕装置において、上部シリンダーの先端を平板の長穴にピン構造にて接合することによって、平板を斜度を保ったまま前進・後退できることを特徴とする解砕装置。
【発明の詳細な説明】
【０００１】
【発明の属する技術分野】
本発明はフレコン内に充填され、塊状化したものの解砕装置に関するものである。
【０００２】
【従来の技術】
一般に粉粒物の運搬や保管はフレキシブルコンテナ（フレコン）と称される袋に詰めて取り扱われる。しかし、粉粒物をフレコンに充填した状態で長期間放置しておくと、ある種の粉粒物では、粉粒物が塊状化し粉体を取り出せなくなる場合がある。この現象は水分が影響するとされている。こうした塊状物を溶液等に溶解させる場合、そのまま溶解しようとすると溶解に時間がかかるとともに、溶解槽に投入する際に槽や槽内の装置を破損したりする危険がある。また、槽の撹拌機に高負荷がかかり、撹拌機の破損やモーターのオーバーロードによる停止という事態を発生する危険がある。
【０００３】
こうした粉粒物の一つとして硫酸ニッケル六水和物がある。この硫酸ニッケル六水和物も長期間フレコンに充填し放置しておくと、結晶中の水分子が再構成されて塊状となる。塊状となった硫酸ニッケル六水和物を取り出し、溶解して用いる場合、まずフレコンを粗大塊状物が入らないようにグリッドが設けられた溶解槽の上にフレコンを吊り上げ、フレコン底部を切り裂いて塊状物を自重でグリッド上に落下させ、塊状物とグリッドとの落下衝撃にて粗状物を粉砕し溶解槽内に硫酸ニッケル六水和物を投入する。
【０００４】
【発明が解決しようとする課題】
しかし、この方法では塊状物は十分に破砕されないため、グリッド上に粗大塊状物が残留せざるを得ない。その結果、つるはし等によりグリッド上の粗大塊状物を粉砕し、全量を溶解槽に投入する。このため、人手が不可欠であり、投入作業に長時間を要することになる。
【０００５】
フレコン中の塊状硫酸ニッケル六水和物を予めグリッドを通過できる程度に粉砕しておけば、グリッド上でフレコン下部の開口部を開くことにより容易に溶解槽内に硫酸ニッケル六水和物を投入することが可能となる。しかしながら、こうした目的に合う装置は未だ提供されていない。
【０００６】
本発明は、例えば上記硫酸ニッケル六水和物のようにフレコン内で塊状化したものをフレコンに保持したままで粉砕することを可能とする装置の提供を目的とする。
【０００７】
【課題を解決するための手段】
上記目的を達成する本発明はフレコンをクレーン等によりより吊持し、収容する受け台と、水平方向に駆動する上部及び下部の二つのシリンダーと、上下シリンダーに追随して可動する各二本のガイドロッドと、その先端にピン構造にて接合された押し板と、フレコンを解砕した際にそれを固定しておくための受け板を具備したフレームからなる解砕装置である。なお、押し板としては適当な硬度を有するものであれば良いが、安価な点より鉄板を用いることが好ましい。
【０００８】
【発明の実施の形態】
本発明を図１〜４に示した例により説明する。硫酸ニッケル結晶塊の入ったフレコンをクレーン等にてフレーム内に収容し、フレコンに対して、鉄製平板６を油圧シリンダーにて押し出し、解砕する。油圧シリンダーは上部シリンダー２、下部シリンダー３の二つのシリンダーから成り、押し出しは上部のシリンダー２を先行させつつ、上部シリンダー２および下部シリンダー３をともに前進させる。
【０００９】
鉄製平板６と上部シリンダー２、下部シリンダー３の先端の取り付け構造はピン構造とする。上部シリンダー２の平板６側のピン穴は長穴として、上下シリンダー２、３を個々に移動できる構造とする。これにより、鉄製平板６は、垂直面からある程度の斜度を保った状態で前進・後退が可能である。
【００１０】
粉砕方法は、まず、鉄製平板６の上部が塊に接触しフレコン内上部のみ塊が解砕され、ストローク端に至る。（図３）このとき、下部シリンダー３も塊に接触し解砕を開始する。このとき、下部の塊あるいは粉体の一部が上部に押し上げられるが、上部には先に解砕された粉体が存在することによって密度が高くなりその作用で再度残存している塊が粉砕される（図４）。
【００１１】
この解砕方法により、フレコン底部の開口部を開くことにより硫酸ニッケルは槽内に円滑に投入される。また、溶解も短時間で行われ、槽内壁及び撹拌に悪影響を与えることはない。
【００１２】
（実施例）
硫酸ニッケル結晶塊の入った１ｔフレコンについて、解砕を行った。運転条件及び結果は下記の通りである。
（運転条件）
油圧ユニット出口ゲージ圧：最大１０ＭＰａ
出力：最大８ｔ
受圧面積：最大５．３ｋｇ／ｃｍ２
シリンダー速度：６ｃｍ／ｓ
【００１３】
（結果）
最大解砕径×個数：約φ２０ｃｍ×ｌ〜３個
これにより、従来のようにつるはし等の道具を用いて塊状物を粉砕しなくとも、グリッド間を通過できる程度の結晶の大きさまで粉砕でき、作業時間を短縮することができた。
【００１４】
【発明の効果】
本発明によれば、解砕装置を使用することによって効率的に硫酸Ｎｉ結晶塊を解砕することができ、槽への硫酸Ｎｉ結晶投入作業を迅速に行うことができるようになる。
【図面の簡単な説明】
【図１】図１は本発明の実施例を示す装置の平面図である。
【図２】図２は本発明の実施例を示す装置の側面図である。
【図３】図３は本発明の実施例を示す装置の上部シリンダーを先行させた際の側面図である。
【図４】図４は本発明の実施例を示す装置の上下シリンダーがストローク端に達した際の側面図である。
【符号の説明】
１　　　フレコン受け台
２　　　上部シリンダー
３　　　下部シリンダー
４　　　上部ガイドロッド
５　　　下部ガイドロッド
６　　　鉄製平板
７　　　　受け板
【図１】
2004089927.tif 000003
【図２】
2004089927.tif 000004
【図３】
2004089927.tif 000005
【図４】
2004089927.tif 000006
(57)【要約】【課題】刃や攪拌棒をドラムの内壁周囲に取付け、モータ等の駆動部により直接ドラムを回転させることにより簡単な構造にして安価な生ごみ処理機を提供することを目的とする。【解決手段】生ごみ投入口２を有し内壁周囲に複数個の刃４や攪拌棒５を有する円筒状のドラム１を設ける。ドラム１の軸方向の一端部に回転軸６を設ける。回転軸６に動力を伝える減速機８を設ける。減速機に動力を伝えるモータ等の駆動部７を設ける。外周部を支持する回転支持部９を設ける。内壁周囲に複数個の刃４や攪拌棒５を有するドラム１をモータ等の駆動部により直接回転させ簡単な構造にして安価な生ごみ処理機が得られる。【選択図】　　　　　図１
2004089973.tif 000002
【特許請求の範囲】
【請求項１】
生ごみ投入口を有し内壁周囲に複数個の攪拌棒や刃を有する円筒状のドラムと、このドラムの軸方向の一端部に設けられた回転軸と、この回転軸に動力を伝える減速機と、この減速機に動力を伝えるモータ等の駆動部と、前記ドラムの外周部を支持する回転支持部を備えたことを特徴とする生ごみ処理機。
【請求項２】
ドラムは、内壁周囲に攪拌棒と刃を交互に設けたことを特徴とする請求項１記載の生ごみ処理機。
【発明の詳細な説明】
【０００１】
本発明は、地中のバクテリア等の微生物の働きにより生ごみを水と炭酸ガスに分解消滅させる生ごみ処理機に関する。
【０００２】
【従来技術】
従来、この種、生ごみ処理機は、例えば特開２００２−２２４６４６号公報に示されるように、処理槽内に、モータ等の駆動手段により駆動される減速機を介して回転する回転軸を設け、この回転軸に複数個の攪拌棒や刃を突設し、バクテリア等の微生物と土または木屑等と混ぜた分解媒体剤を予め処理槽内投入しておき、この分解媒体剤が投入されている処理槽内に、野菜の葉切や、魚の骨、身等の生ごみ及び畜糞を投入し、駆動手段により回転軸を介して回転される攪拌棒や刃により生ごみと分解媒体剤を攪拌混合し、生ごみと分解媒体剤に空気を与え、生ごみの分解を促進させ、生ごみを分解消滅させるようになっていた。
【０００３】
【発明が解決しようとする課題】
しかし、このような生ごみ処理機によれば、処理槽内に設けた回転軸に攪拌棒や刃を取付けているため、回転軸が必要になり構造が複雑且つ高価になり、また、回転軸を回転させるための電気的トルクが大きくなりランニングコストが高くなるという欠点があった。
【０００４】
本発明は、このような点に鑑みなされたもので、攪拌棒や刃をドラムの内壁周囲に取付け、モータ等の駆動部により直接ドラムを回転させることにより簡単な構造にして安価な生ごみ処理機を提供することを目的とする。
【０００５】
【課題を解決するための手段】
請求項１記載の生ごみ処理機は、生ごみ投入口を有し内壁周囲に複数個の攪拌棒や刃を有する円筒状のドラムと、このドラムの軸方向の一端部に設けられた回転軸と、この回転軸に動力を伝える減速機と、この減速機に動力を伝えるモータ等の駆動部と、前記ドラムの外周部を支持する回転支持部を備えたものである。
【０００６】
そして、構成にれば、攪拌棒や刃が内壁周囲に取付けられたドラムが直接駆動手段により回転されるため、構造が簡単且つ安価になり、また、このドラムを回転させる電気トルクが最小限に抑えられランニングコストが低減される。
【０００７】
請求項２の生ごみ処理機は、ドラムの内壁周囲に攪拌棒と刃を交互に設けたものである。
【０００８】
そして、構成によれば、生ごみが刃により細かく破砕されるとともに、攪拌棒により分解媒体剤と生ごみが効率よく攪拌混合し、生ごみの分解消滅が促進される。
【０００９】
【発明の実施の形態】
以下、本発明の一実施の形態を図面を参照して説明する。
【００１０】
【実施例】
図１において、１は筒状のドラムで、このドラム１は、筒部の上部に蓋３を有した生ごみ投入口２と、内壁周囲に交互に配設された複数個の刃４および攪拌棒５を有している。また、ドラム１の軸方向の一端部に回転軸６を有しいてる。７は駆動部としてのモータで、このモータ７は減速機８を介して適度の回転数に変換し、その動力をドラム１の回転軸６に伝えるようになっている。９は回転支持部で、ドラム１の外周部を回転支持するもので支持台１０に固定されている。
【００１１】
次に、本実施の形態の作用を説明する。
【００１２】
先ず、ドラム１の生ごみ投入口２に、バクテリア等の微生物と土または木屑等とを混ぜてできた分解媒体剤が投入される。次に、野菜の葉切や、魚の骨、身等の生ごみ及び畜糞が投入される。そして、モータ等の駆動部７が駆動され、減速機８を介してドラム１の回転軸６に適度な回転数による動力が伝えられ、ドラム１は適度な回転速度で回転支持部９に支持されながら回転される。このドラム１の回転によりドラム１内に投入された生ごみは、ドラム１の内壁周囲に配設された刃４で細かく破砕されるとともに攪拌棒５により攪拌され、バクテリア等の微生物と土または木屑等とを混ぜてできた分解媒体剤と攪拌混合し、生ごみと分解媒体剤に空気を与え、生ごみの分解を促進させ、生ごみを水と炭酸ガスに分解消滅させる。
【００１３】
【発明の効果】
請求項１記載の生ごみ処理機によれば、攪拌棒や刃が内壁周囲に取付けられたドラムが直接駆動手段により回転されるため、構造が簡単且つ安価になり、また、このドラムを回転させる電気トルクが最小限に抑えられランニングコストが低減される。
【００１４】
請求項２記載の生ごみ処理機によれば、生ごみが刃により細かく破砕されるとともに、攪拌棒により分解媒体剤と生ごみが効率よく攪拌混合し、生ごみの分解消滅が促進される。
【００１５】
【図面の簡単な説明】
【図１】本発明の一実施形態を示す生ごみ処理機の構成図である。
【符号の説明】
１　　ドラム
２　　生ごみ投入口
３　　蓋
４　　刃
５　　攪拌棒
６　　回転軸
７　　モータ等の駆動部
８　　減速機
９　　回転支持部
１０　　支持台
【図１】
2004089973.tif 000003
(57)【要約】【課題】本発明は、限りある資源を浪費し大量生産、大量消費、大量廃棄、が繰り返される、問題の中で国の政策である基本的方向を示す環境基本法に基づき限界のある、最終処理場の困難廃棄物処理による有害物質の発生を適正に処理する事が必要と判断し考案いたしました。本発明の生ゴミ消音攪拌粉砕装置は密閉式処理槽内にモーターの回転力を受け作動する攪拌バネ処理槽及び排水槽に一定の間隔で水を噴霧供給し、処理槽の水分環境を調整し排水槽の清潔を維持させる処理槽外部には温度感知機を設置し感知温により一定の温度を保つ、温度調整、水調整はプログラムにより調整する。制御盤を含め構成されている。【選択図】図２
2004089972.tif 000002
【特許請求の範囲】
【請求項１】
上部に生ゴミの投入口が形成され、処理槽の内に設置されたモーターの回転力を受けて作動される攪拌手段と処理槽の下部に設置された液状物質を外部に排出させる排水槽と処理槽に一定の間隔で水を供給、噴霧して処理槽の水分環境を調節して排水槽の清潔さを維持させる給水手段を含めて構成される生ゴミの処理装置。
【請求項２】
第１項において、排水槽を浄化槽と連結させる事で生ゴミの分解物にまぜられられている微生物により浄化槽の汚物が分解できるようにしたことを特徴とする生ゴミ処理装置。
【発明の詳細な説明】
【０００１】
【発明の属する技術分野】
本発明は微生物を利用して生ゴミを完全に分解させ液状で排出させる生ゴミ処理装置に関するものである。
【０００２】
【技術の背景】
従来の生ゴミ処理機は常温で腐敗しやすく悪臭がでます。これを解決する為の手段が色々と開発されていますが、生ゴミを発酵させ肥料として使用する処理装置である。
【０００３】
【発明が解決しよとする課題】
従来の開発された生ゴミを発酵させ肥料として使用する装置で生ゴミを処理するのは効率的ではありません。処理の過程で悪臭が発生し又生ゴミは多くの塩分を含んでいますので、これを除去する為の装置を必要とし、また生ゴミを発酵させる過程で微生物がタンパク質を分解及び吸収するため肥料としては、栄養がたりず。従来の排水式では排水する水に問題がある
【０００４】
【問題を解決するための手段】
上記の問題点を解決するために、本発明は生ゴミを連鎖的に微生物により完全に分解させ排出することにより、二次汚染のおそれがなく、悪臭が発生しないので快適な環境を作ることができる。
【０００５】
【発明の実施の形態】
本発明の生ゴミ処理装置は微生物を活用して１０℃〜３０℃の温度で生ゴミを分解して液状で一般下水または浄化槽に排出されるものである。
【０００６】
上部に生ゴミ投入口が形成され、下部には排水槽と処理槽内部に設置されたモーターの回転力を受けて作動する攪拌手段と処理槽及び排水槽に一定の間隔で水を供給噴霧して処理槽の水分環境を調節して排水槽の清潔さを維持させる給水手段と処理槽内部に設置され感知温度によって作動され処理槽内の温度を一定に維持させる手段と攪拌手段のモーターと給水手段及び温度維持の動作をプログラムによって調節する制御盤を含めて構成されるのを特徴とするものである。
【０００７】
【実施例】
実施例について図面を参照にして説明すると、生ゴミ処理装置の全体的な構造をみせるため、図指しました。全ての装置即ち処理槽（１）上部カバー（２）投入口（３）処理槽点検窓（４）正面カバー（５）背面カバー（６）左側面カバー（７）右側カバー（８）制御盤扉（９）手動操作盤（１０）ファン（１１）シャワーリングノズル（１２）攪拌軸及びアーム（１３）ヒーター（１４）攪拌モーター（１５）チェーンテンショナー（１６）大スプロケット（１７）小スプロケット（１８）軸受ベアリング（１９）メッシュ板（２０）排水口（２２）蓋センサー（２３）給水口（２４）が処理装置の中に設置されている。外側の底にフットキャスター（２２）が設置されているので移動が自由で断熱性能を持ちます。上部に生ゴミと微生物が投入できる投入口があり、蓋にはセンサーを設置し蓋を開けたとき内部の攪拌手段が止めるように構成されている。処理槽の下部には、一定の大きさの穴があいている排水口があり、上部の一方には噴霧管があります。水が均等に噴霧できるよう、方向が調整された状態です。処理槽内に投入される生ゴミの攪拌バネが設置され、攪拌バネはモーターの回転力をベルトを通じて受ける。車輪が攪拌軸の端部につけられている。また攪拌軸には多数の攪拌バネがあり、この攪拌バネの端部にはペダルがつけられています。ペダルは処理槽の中央に内容物が集まるよう方向を調整してあります。排水槽は中央部が深く形成され、ここに排水口があり下水または浄化槽に連結されます。処理槽の下部には、ヒーターカバーを設置して、その中に設置したヒーターで処理槽内部の温度を感知するセンサーにより、その稼動を制御盤が統制することになります。給水は、外部の給水栓に連結され二つの小さい給水菅に分岐される一つは処理槽の噴霧菅に連結され、もう一方は排水槽の噴霧菅と連結される、給水菅には水の供給を遮断するコックがあり、制御盤のプログラムにより解放または閉鎖されます。以上のように構成される本発明の装置は、蓋を開け投入口から微生物と生ゴミを、投入する事で処理槽の攪拌は、２０分感覚で７〜８ＰＰＭの速度で３分ずつ回転し微生物と生ゴミを混合します。生ゴミは随時投入することができます。噴霧は攪拌手段が作動する間だけ噴霧します。攪拌手段の作動と共に２分噴霧され水が生ゴミとよく混合するためです。温度に関しては、中温性微生物の育成が活性化される温度１０℃〜３０℃に維持します。密閉されることで空間の温度が上昇しますのでここを通過する給水菅を通じて処理槽に供給される水の温度が少し上昇します。このような育成条件で微生物が活動し、生ゴミを完全に酵素分解させます。分解された液状物質と微細化されたカスは再度微生物により無公害水となり、排水口より排出されます。
【本発明の効果】
以上のように、説明のとおり本発明による生ゴミ消音処理装置は処理後に残留物が残らず、完全に分解消滅されます。この装置より排出された物質を下水及び浄化槽に流入することで下水管及び浄化槽内の汚物も一部処理が可能です。処理装置を作動させる際の消音は、微生物が中温性のためヒーターの騒音が除去されます。
【図面の簡単な説明】
【図１】断面図
【図２】平面図、立体図
【符号の説明】
１．　処理槽
２．　上部カバー
３．　投入口
４．　処理槽点検窓
５．　正面カバー
６．　背面カバー
７．　左側カバー
８．　右側カバー
９．　制御盤扉
１０．手動操作盤（扉）
１１．ファン
１２．シャワーリングノズル
１３．攪拌軸及びアーム
１４．ヒーター
１５．攪拌モーター
１６．チェーンテンショナー
１７．大スプロケット
１８．小スプロケット
１９．軸受ベアリング
２０．メッシュ板
２１．排水口
２２．フットキャスター
２３．蓋センサー
２４．給水口
【図１】
2004089972.tif 000003
【図２】
2004089972.tif 000004
(57)【要約】【課題】イカの触感や味覚を満足でき、掛け針を確実に取り付けられ、しかも魚の誘引効果をも期待できる手段を得るにある。【解決手段】小魚やエビに似せた外観の浮力のある硬質本体とこの硬質本体の表面全体を覆った状態で成形される透過軟質材とを備えるものであって、硬質本体の先端には糸掛け部が固定され、同後端には剛性ステムを介して掛け針が固定され、前記軟質材中にはイカが好むエキス成分が添加されたイカ釣り用ルアー。【選択図】　　　　図１
2004089101.tif 000002
【特許請求の範囲】
【請求項１】
小魚やエビに似せた外観の浮力のある硬質本体とこの硬質本体の表面全体を覆った状態で成形される透過軟質材とを備えるものであって、硬質本体の先端には糸掛け部が固定され、同後端には剛性ステムを介して掛け針が固定され、前記軟質材中にはイカが好むエキス成分が添加されたことを特徴とするイカ釣り用ルアー。
【請求項２】
前記軟質材に添加されるエキス成分はアミノ酸、イノシン酸、魚類抽出エキスから選ばれた少なくともひとつであることを特徴とする請求項１記載のイカ釣り用ルアー。
【請求項３】
前記硬質本体の目の部分には着色発光材料が象眼されたことを特徴とする請求項１または請求項２に記載のイカ釣り用ルアー。
【請求項４】
前記硬質本体の腹面にはルアー操作により硬質本体に挙動を与えられる重りが固定されることを特徴とする請求項１から請求項３のいずれかひとつに記載のイカ釣り用ルアー。
【発明の詳細な説明】
【０００１】
【発明の属する技術分野】
本発明は釣り具に関し、特に、イカ釣り用ルアーに関する。
【０００２】
【背景技術】
周知のように、イカ釣りに際しては、例えばエギ、スッテ、イカズノと称する浮力のあるイカ釣り用疑似餌が用いられるが、このような硬質疑似餌は、表面が硬質のためイカの触感により生物ではない疑似餌と見破られ、イカが疑似餌から外れ、釣り落としの原因となることが多い。
【０００３】
【発明が解決しようとする課題】
また、最近の研究では、イカにも化学物質を関知する味覚細胞があることが判明しており、触感ばかりでなく、同味覚細胞により捕らえた餌を識別していると思われるが、従来の硬質疑似餌はこのようなイカの味覚に対応してはいない。
【０００４】
さらに、前述した硬質疑似餌にあっては、ルアー操作中に掛け針が不規則に硬質の疑似餌に当たって異常音が生じ、イカに警戒心を起こさせる場合が多く、また、軟質材料で作った従来の疑似餌では、このような衝突音の問題はないけれども、掛け針を設けにくく、浮力を与え難い問題もある。
【０００５】
本発明の目的は、以上に述べたような従来のイカ釣り用疑似餌の問題に鑑み、イカの触感や味覚を満足でき、掛け針を確実に取り付けられ、しかも魚の誘引効果をも期待できる手段を得るにある。
【０００６】
【課題を解決するための手段】
この目的を達成するため、本発明は、小魚やエビに似せた外観の浮力のある硬質本体とこの硬質本体の表面全体を覆った状態で成形される透過軟質材とを備えるものであって、硬質本体の先端には糸掛け部が固定され、同後端には剛性ステムを介して掛け針が固定され、前記軟質材中にはイカが好むエキス成分が添加されたイカ釣り用ルアーを提案するものである。
【０００７】
後述する本発明の好ましい実施例の説明においては、
１）前記軟質材に添加されるエキス成分はアミノ酸、イノシン酸、魚類抽出エキスから選ばれた少なくともひとつであるイカ釣り用ルアー、
２）前記硬質本体の目の部分には着色発光材料が象眼されたイカ釣り用ルアー、
３）前記硬質本体の腹面にはルアー操作により硬質本体に挙動を与えられる重りが固定されるイカ釣り用ルアー
が説明される。
【０００８】
【発明の実施の形態】
以下、図面について本発明によるイカ釣り用ルアーの実施例を説明する。
【０００９】
図１はアジを模した本発明によるイカ釣り用ルアーを示し、このイカ釣り用ルアーは中空樹脂成形により浮力を与えた硬質本体１を備え、この硬質本体１の表面にはアジに似せたの表面光沢、着色が施され、その先端には糸掛け部１ａが固定され、この糸掛け部１ａに道糸をしっかり結ぶことができる。そして、硬質本体１の目の部分１ｂや体測線には蓄光材料や蛍光材料からなる着色発光材料が象眼及び塗布され、これらの発光により周囲のイカを視覚的に刺激できる。
【００１０】
また、硬質本体１の後端にはイカリ状配列の掛け針２をもつ剛性ステム３が挿入して固定され、これらの掛け針２で硬質本体１に乗ったイカを捕捉できる。
【００１１】
アジに似た外観を与えた硬質本体１の全体外表面は例えば軟質シリーコン樹脂で作る透過軟質材４で被覆される。このため、この透過軟質材４の存在によりイカ釣り用ルアーに魚体に似た弾性のある触感を与えられるばかりでなく、硬質本体１の塗装を外部から透視できる。
【００１２】
また、硬質本体１が軟質材４で全体を被覆保護されるため、海底の岩などで硬質本体１の塗装が早期に傷つくのを防止できる。
この軟質材４中にはイカの摂餌行動を活性化する成分としてエビからのアミノ酸抽出エキスを均一に混和してあるから、イカ釣り用ルアーを水中に投入した場合、軟質材４から徐々にしみ出す同アミノ酸エキスによりイカの味覚を刺激できる。
【００１３】
軟質シリーコン樹脂などの軟質材４中には少量のラメ粉を均一に混和してイカを視覚的に刺激できる構造としてもよい。
なお、本発明のイカ釣り用ルアーには、魚の摂餌行動を活性化する成分として知られるイノシン酸や前述とは別のアミノ酸を軟質材４として用いる他の難水溶性樹脂に混和してもよい。
【００１４】
前記硬質本体１の腹部には鉛などで構成する重り５が固定され、この重り５のバランスによりルアー操作時に硬質本体１に挙動を与えることができる。
また、図示実施例では、アジに似せたイカ釣り用ルアーを説明したけれども、本発明においては、硬質本体１をエビに似せた形状としてもよい。
【００１５】
【発明の効果】
以上の説明から明らかなように、本発明のイカ釣り用ルアーは、生き物に近い味と触感になるため、摂餌行動をより活性化させて、確実に疑似餌を抱き込ますことができ、釣り落としを少なくして多くの釣果を得ることができる。
また、本発明のイカ釣り用ルアーにおいては、目の部分１ｂなどに発光性の象眼を施すことや重りを付すことでイカを視覚的に刺激して、確実にルアーを抱き込ますことができる。
【図面の簡単な説明】
【図１】本発明によるイカ釣り用ルアーの正面図である。
【図２】同イカ釣り用ルアーの図１の１−１線に沿う断面図である。
【符号の説明】
１　　硬質本体
１ａ　糸掛け部
１ｂ　目の部分
２　　掛け針
３　　剛性ステム
４　　軟質材
５　　重り
【図１】
2004089101.tif 000003
【図２】
2004089101.tif 000004
(57)【要約】［課題］南瓜の保存性を流通上でも家庭においても格段に高めたい。［解決手段］南瓜を茹でて潰し、裏漉し、それを乾燥して、袋や容器に詰めた、マッシュカボチャと呼ぶことにする、乾燥南瓜。【選択図】なし。【特許請求の範囲】
【請求項１】
南瓜を茹でて潰し、裏漉し、それを乾燥して、袋や容器に詰めた、マッシュカボチャと呼ぶことにする、乾燥南瓜。
【発明の詳細な説明】
［発明の属する技術分野］
乾燥野菜の一である。
［従来の技術］
今までに南瓜に関しては乾燥して流通させようと言う思想はなく、冷蔵しておいて、要求に応じて流通させていた。
［発明が解決しようとする課題］
冷蔵倉庫から出した生の南瓜は店頭でも家庭でも腐りやすい。
［課題を解決するための手段］
その対策として南瓜を乾燥態にすることを考えた。
［発明の実施の形態］
そこでマッシュポテトのようにすれば好いと思いついた。その形態は「特許請求の範囲」に簡潔に述記してある。
［発明の効果］
本発明によって南瓜は流通上の保存性が格段に高まり、又家庭においても保存性が飛躍的に高まった。
そして調理においては熱湯で戻すだけで宜しいので、マヨネーズサラダやコロッケやポタージュや和風味ポタージュや揚げ菓子やパンなどに単独で或いは混合で用いることが出来、南瓜料理の一部を即席的にし、又豊かにすることが出来る。そして業務用としても食品メーカーや料理店などにもいろいろと工夫して使ってもらえよう。
(57)【要約】【課題】バケツを利用した簡単で便利な釣竿置き具であって、バケツＢに海水を入れて錘として使用する。【解決手段】バケツＢの両端に竿ホルダーを設け、このホルダーに竿支持杆４を着脱自在に設けて２本の釣竿を置き、バケツＢに海水を入れて錘として釣の管理をする。【選択図】　図１
2004089175.tif 000002
【特許請求の範囲】
【請求項１】
バケツＢの対向する両側上部に竿ホルダー（３），（３）を設け、該竿ホルダーの基部に竿かけフック（５）を設けた竿支持杆（４）を着脱自在に接続し、バケツＢ内に海水を入れて錘とすることを特徴としたバケツを利用したサビキ釣用竿置き具。
【発明の詳細な説明】
【０００１】
【発明の属する技術分野】
本発明は堤防や防波堤等比較的足場のよい場所で使用する竿置きスタンドであって、バケツに海水を入れて、これを錘として、これに竿ホルダーを設けて２本の釣竿を置いたまま後方で釣の管理ができるバケツを利用したサビキ釣用竿置き具に関する。
【０００２】
【従来の技術】
従来このような堤防や防波堤での釣は、一本の竿を手に持って立姿で釣をするのが普通であるが、中には腰をおろして竿を出している釣人もいて様々である。また釣果を狙って２〜３本の竿を堤防の上に置いて石や釣道具を載せておもりとして釣を楽しんでいる釣人もいる。
【０００３】
【発明が解決しようとする課題】
しかし、このように何本もの竿を直に置いたままの釣では竿が不安定で管理が難しく、竿先から足元まで気を配る必要があった。
【０００４】
【課題を解決するための手段】
発明者は年中近くの堤防に出掛けて釣をするために、釣竿とバケツを持って通っているうちに本発明を思いついたものであって、いつもはバケツに海水を入れて釣り上げた魚を入れているが、このバケツを錘として利用し、これに竿を置くことによって２本の竿を安定して出すことに成功した。
【０００５】
またバケツにはポリバケツやスチールバケツ以外に布製の携帯用のバケツがあるため、この携帯用のバケツを利用し、この布製のバケツに海水を入れてスタンド型の竿置き具に使用すれば不安定なスタンドも安定して使用できる。
【０００６】
【発明の実施の形態】
添付図面により本発明を説明すると、図１はポリバケツＢの対向する両側にホルダーを設けて、２本の竿を固定した実施例図である。図２はバケツＢと竿支持杆（４）との関係を示す詳細図を示している。図３は支持杆（４）の詳細図であって、この支持杆（４）は図２に示すようにネジ（８）によってバケツＢに着脱自在に取りつけられていて、しかも図３のイ図及びロ図、又はハ図のように折り畳み可能に構成されている。
【０００７】
図１の実施例について説明すると、図は後方からの斜視図であって、バケツＢの対向する左右両側の中央部より下部にかけて釣竿を架設する竿ホルダー（３），（３）を設け、この竿ホルダー（３），（３）の基部に派出する竿を支持する竿支持杆（４）を着脱自在に設けるもので、この支持杆（４）の先端には図３に示す開閉するフック（３）が設けてあり、バケツＢ内に海水を汲み入れ、竿ホルダー（３）に竿尻をセットし、竿支持杆（４）に竿を置いて使用する。
【０００８】
２本の竿は扇状に開くようにホルダー（３）を角度をつけて回動するようにバケツＢに取付けることによって、釣糸の絡みもなく、また海水の重みだけで十分安定し釣を楽しむことができる。
【０００９】
図２の実施例について説明すると、図はバケツＢと竿支持杆（４）の関係を示す詳細説明図で、支持杆（４）はバケツＢに設けた竿かけフック（３）の基部に支持杆（４）をネジ（８）によって着脱自在に装着されている。この支持杆（４）の詳細については以下図３で説明する。図中の（５）は必要に応じて設けるバケツＢの安定を図る補助足である。
【００１０】
図３は支持杆（４）の詳細図で、この支持杆（４）は前述のようにバケツＢに設けた竿尻を掛けるフック（３）に着脱自在にネジ（８）によって取り付けられていて持ち運び容易に構成されている。また、この取り付けはネジに限らずに嵌着することも考えられる。図３のイ図は支持杆（４）先端の竿置きフック（４−１）で、２又の開閉可能に形成されている。ロ図は竿置きフック（４−１）を立てた状態の側面図、ハ図は２又の竿置きフック（４−１）を開いた正面図、ニ図は２又を閉じた状態図を示している。なお、図示していないが、この支持杆（４）は長いので伸縮可能とすることが取扱い上便利である。
【００１１】
【発明の効果】
上述のように本発明は、置き釣用の竿の架台としてバケツＢを使用するため、用具類が簡単で移動が楽であるばかりか、竿を扇状にセットすることができるため糸の絡みが少なく竿の管理がし易い。このため釣を十分に楽しめ、しかも２本の釣竿を使用するため釣果も上るという、釣人にとって画期的な使用上の効果を奏する。
【図面の簡単な説明】
【図１】バケツを竿置き具として使用する実施例図
【図２】支持竿とバケツの実施例図
【図３】支持杆の詳細図
【符号の説明】
（１）…脚柱
（２）…天棒
（３）…竿ホルダー
（４）…竿支持杆
（４−１）…竿受けフック
（５）…支持足
（６）…台座
（７）…フック
（８）…ネジ
Ａ…枠体
ａ…四脚スタンド
Ｂ…バケツ
【図１】
2004089175.tif 000003
【図２】
2004089175.tif 000004
【図３】
2004089175.tif 000005
(57)【要約】〔課題〕　がん細胞と正常細胞を区別する方法〔解決手段〕細胞の点変異を求め、この点変異２つの間に、共通部分を求めて、両者の母細胞を決める。これを細胞、母細胞で次々と繰り返して、細胞系譜を決めることができる。これをがん細胞に応用して、がん組織の点変異とがんに近い正常細胞の点変異を求める。前者から後者を引き算する。これは、がんの１代目とその１代前の時にできた点変異の合計か、あるいは単にがんの１代目の時にできた点変異かである。この点変異をがん細胞と正常細胞の区別に使う。更に、それに基づいて、がんの攻略法を開発する。そしてがんの点変異を含む遺伝子を、がんに近接している正常細胞に発現させて、この遺伝子が、発がん遺伝子かどうか判定する。【特許請求の範囲】
【請求項１】
二つの細胞の点変異の間に、共通部分を抜き出し、両者に共通の母細胞を決定する。これを母細胞、細胞で繰り返して細胞系譜を
決める。
【請求項２】
上と同様にして、がん組織の点変異、がんに近い正常細胞の点変異を決める。前者から後者を引き算する。この点変異をがんの点
変異と名ずける。これを基にして、がんの撃退法を開発する。
【請求項３】
がんの点変異を含む遺伝子を、マイクロインジェクション法で、がんに近接している正常細胞に発現させて、この導入遺伝子が、
発がん遺伝子かどうか調べる。
【発明の詳細な説明】
【０００１】
〔発明の属する技術分野〕
細胞系譜を決めて、それを発生学に応用する分野。がんの点変異を求め、それを機能解析して、さらに応用する分野。
【０００２】
〔従来の技術〕
今の技術では、がん細胞と正常細胞を見分けるのに、表面の分子で見分けている。この方法では決定的に見分けることはできない。
【０００３】
〔発明が解決しようとする課題〕
がん細胞と正常細胞を区別する方法。
【０００４】
〔課題を解決するための手段〕
細胞は、時間や世代の経過に連れ、種々の原因により、点変異が増え続けていく。この原理を利用して細胞系譜や、がんの点変異を求めることができる。以後、理論的に考える時は細胞の点変異、実験的に考える時は小組織片の点変異、この二つを混同して用いる。
【０００５】
まず、１個体のいろいろな組織多数を混合して、それからＤＮＡを抽出して、ショトガン法でシーケンスする。これは、この個体の受精卵の時の塩基配列を表している。
【０００６】
それから、この個体の細胞２個を用意する。それぞれの細胞を増殖因子を入れて培養して、ＰＣＲして、ショットガン法でシーケンスする。この細胞の塩基配列と受精卵の時の塩基配列を比べて、この細胞の点変異を求める。この点変異２つの共通部分を求める。この共通部分の点変異をもっていた時の細胞が、両細胞の何代か前の母細胞である。さらにこの何代か前の母細胞２個の共通部分を求め、その先祖を溯ることができる。これをすべての細胞について行うことができれば、この個体の細胞系譜を決めることができる。これを一部の細胞で行えば、粗い細胞系譜が求まる。
【０００７】
一方、或る個体が、がん細胞を持っているとする。がん細胞何個かの点変異の共通部分を求める。この共通部分の点変異をもっていた時の細胞が、正しくがんの１代目、がんになった瞬間である。
【０００８】
そして、がんの組織に近い正常細胞何個かの点変異も調べる。それぞれの点変異と、がんの１代目の点変異の共通部分を求める。その中で最大の共通部分を示すものを見つける。そして、がんの１代目の点変異から、この最大の点変異を引き算する。この引き算の残りの点変異は、がんの１代目とその１代前の二世代の時にできた点変異か、単にがんの１代目の時にできた点変異かのどちらかである。この点変異の中に、がん発生過程の最後の点変異が含まれている。この引き算の残りの点変異何個かを、正常とがんの区別に使う。以後、この点変異を単にがんの点変異と呼ぶ。
【０００９】
この点変異が、細胞の表面にどう影響を与えているか調べる。この表面変化を目印にして、がんの撃退法を考える。表面変化がある場合は免疫が使える。表面変化がない時は、直接、点変異の機能を攻撃する薬を見つける。
【００１０】
〔発明の実施の形態〕
まず、受精卵の時の塩基配列を求める。次にがん組織のＤＮＡをシーケンスする。さらにがんに近接した正常細胞多数の混合もシーケンスする。がん組織の塩基配列と受精卵の時の塩基配列を比べて、がん組織の点変異を求める。がんに近い正常細胞多数の混合の点変異も求める。がん組織の点変異から、がんに近い正常細胞多数の点変異を引き算する。この引き算の残りの点変異を、正常とがんの区別につかう。
【００１１】
がんの点変異を別の個体のがんの点変異と比べて、一致する場所を深す。一致する場所がある場合は、これが発がんを起こしている。一致しない時は、機能解析して、機能的に一致すれば、この点変異は同じ部類に属するとみなす。この機能を単位として、がんの攻略に向かう。
【００１２】
上の方法で求めた点変異に結合するＤＮＡ結合タンパク質の遺伝子をウイルスに組み込み、遺伝子治療の方法により発現させる。この結合により点変異の機能が失われ、がんが正常細胞に戻る。ｒａｓの点変異に対しても同様にする。
【００１３】
次に、がんのＤＮＡを短く切って、ゲルで分離する。それぞれの断片をシーケンスして、がんの点変異を含む遺伝子を選び出す。このがんの点変異を含む遺伝子をマイクロインジェクションして、がんに近接した正常細胞に発現させる。そしてこの発現正常細胞が、がん細胞になっているかどうかを増殖能などで調べる。がん細胞になっている場合は、このタンパク質が、がんを引き起こしている。この発がんタンパク質を免疫に反応させて、抗体をつくらせる。抗体のアミノ酸配列を解析する。抗体の遺伝子を合成する。あるいはＢ細胞から、抗体のｍＤＮＡを取り出し、プロモーターを付けて、ウイルスに組み込む。これを遺伝子治療の方法により、がん細胞に感染させる。発がんタンパク質に抗体が結合する。この結合により発がんタンパク質が無力化して、がん細胞が遂に脱がんする。
【００１４】
〔発明の効果〕
この理論は、生物学、がんの解明に新しい方法を提案する。
【図面の簡単な説明】
がん細胞の近くの細胞系譜
【図１】
2004089173.tif 000002